(57)【要約】【課題】  机天板の下面にセンター引出しを設けた場合でも、また天板の下面後方に補強用の横ビームが存在する場合でも、机天板の下方に配置することができる高さのキャビネットワゴンの天板上面に装着して、机天板との間に生じる隙間の有効利用が図れる収納具を提供するとともに、該収納具を装着したキャビネットワゴンを提供する。【解決手段】  本体１１に多段に引出し１２や収納部を備えたキャビネットワゴン２の天板１３上面に着脱可能であり、偏平な形状の箱型ケース４に浅い引出し５を設けるとともに、上面にトレー部６又は載置部を設けた収納具１を構成した。また、収納具を本体の天板上面に、後部を余して着脱可能に装着してキャビネットワゴンを構成した。【選択図】        図１
2006020978.tif 000002
【特許請求の範囲】
【請求項１】
本体に多段に引出しや収納部を備えたキャビネットワゴンの天板上面に着脱可能であり、偏平な形状の箱型ケースに浅い引出しを設けるとともに、上面にトレー部又は載置部を設けたことを特徴とする収納具。
【請求項２】
前記箱型ケースの側面にハンギングレールを形成してなる請求項１記載の収納具。
【請求項３】
前記トレー部又は載置部は、前記箱型ケースの上面に凹陥部を形成し、該凹陥部にシートを敷設してなる請求項１又は２記載の収納具。
【請求項４】
前記請求項１〜３何れかに記載の収納具を、多段に引出しや収納部を備えた本体の天板上面に、後部を余して着脱可能に装着してなることを特徴としたキャビネットワゴン。
【発明の詳細な説明】
【技術分野】
【０００１】
本発明は、収納具及びそれを用いたキャビネットワゴンに係わり、更に詳しくは机天板の下方に配置したキャビネットワゴンの上面に装着して使用する収納具及びそれを用いたキャビネットワゴンに関するものである。
【背景技術】
【０００２】
従来から、机天板の下方に配置したり、机側方に配置して使用するキャビネットワゴンは各種提供されている。通常、机天板の下面にはセンター引出しを設けることが多く、また天板の下面後方に補強用の横ビームがあるのため、何れの場合にも共用できるようにするため、センター引出しや横ビームの下方に押し込むことができるように、キャビネットワゴンの高さもそれに応じて低く設定されている。学習机関係では、昇降天板を設け、机の側方へ設置して使用する際に机天板と同じ高さや適宜高さに調節できるワゴンも提供されている。
【０００３】
しかし、事務用のキャビネットワゴンでは、机天板の下面にセンター引出しがない位置に設置した場合には、キャビネットワゴンの天板と机天板との間に空間が形成されたままになっている。
【０００４】
尚、特許文献１には、本体に引出しを多段に設けたキャビネットワゴンの天板の上面に収納用凹部を形成し、該収納用凹部の深さに相当する前面部分に傾斜面を形成し、該傾斜面に引手部を形成した構造のものが提供されている。このキャビネットワゴンは、机の脚部間の天板下方に配置して使用することができるが、この場合もキャビネットワゴンの天板と机天板との間に比較大きな隙間が形成されている。
【特許文献１】特許第２５７０４８３号公報
【発明の開示】
【発明が解決しようとする課題】
【０００５】
そこで、本発明が前述の状況に鑑み、解決しようとするところは、机天板の下面にセンター引出しを設けた場合でも、また天板の下面後方に補強用の横ビームが存在する場合でも、机天板の下方に配置することができる高さのキャビネットワゴンの天板上面に装着して、机天板との間に生じる隙間の有効利用が図れる収納具を提供するとともに、該収納具を装着したキャビネットワゴンを提供する点にある。
【課題を解決するための手段】
【０００６】
本発明は、前述の課題解決のために、本体に多段に引出しや収納部を備えたキャビネットワゴンの天板上面に着脱可能であり、偏平な形状の箱型ケースに浅い引出しを設けるとともに、上面にトレー部又は載置部を設けた収納具を構成した（請求項１）。
【０００７】
ここで、前記箱型ケースの側面にハンギングレールを形成してなること（請求項２）、前記トレー部又は載置部は、前記箱型ケースの上面に凹陥部を形成し、該凹陥部にシートを敷設してなること（請求項３）が好ましい。
【０００８】
また、本発明は、前述の収納具を、多段に引出しや収納部を備えた本体の天板上面に、後部を余して着脱可能に装着してなるキャビネットワゴンを構成した（請求項４）。
【発明の効果】
【０００９】
以上にしてなる請求項１に係る発明の収納具は、机天板の下方に配置することができる高さのキャビネットワゴンの天板上面に装着すれば、机天板との間に生じる隙間の有効利用を図ることができる。
【００１０】
請求項２によれば、ハンギングレールを利用して手提げカバンやその他の物品を吊下げて保管することができる。
【００１１】
請求項３によれば、トレー部又は載置部に設けたシートの上に書類を載置しても、書類が不意にずり落ちることがないのである。
【００１２】
請求項４に係るキャビネットワゴンは、本体の天板上面に後部を余して収納具を着脱可能に装着しているので、天板の下面後方に補強用の横ビームが存在する場合でも、机天板の下面に押し込んで設置することができ、机天板の下面にセンター引出しを設けない場合でも、机天板とキャビネットワゴンの天板との間の空間を有効に利用することができ、また不要な場合には収納具を取外すことができる。
【発明を実施するための最良の形態】
【００１３】
次に、添付図面に示した実施形態に基づき、本発明を更に詳細に説明する。図１は、本発明に係る収納具を備えたキャビネットワゴンを示し、図２及び図３は、そのキャビネットワゴンを机の天板下方に設置した状態を示し、図４〜図８は本発明の詳細を示し、図中符号１は収納具、２はキャビネットワゴン、３は机をそれぞれ示している。
【００１４】
本発明に係る収納具１は、少なくとも先方を解放した偏平な形状の箱型ケース４に浅い引出し５を設けるとともに、上面にトレー部６を設けたものであり、更に前記箱型ケース４の側面にハンギングレール７，７を形成している。ここで、前記トレー部６は、箱型ケースの上面に凹陥部８を形成し、該凹陥部８に摩擦抵抗の大きなシート９を敷設している。また、前記シート９の上面側の前部には、ペントレー用の凹部１０を形成している。尚、前記シート９に凹部１０を設けないフラットのものを用いて、単に載置部とすることも可能である。
【００１５】
ここで、前記シート９としては、ポリプロピレン（ＰＰ）、ポリエチレン（ＰＥ）等のポリオレフィン系樹脂やポリエチレンテレフタレート（ＰＥＴ）を好ましく用いることができる。尚、前記シート９の性質としては、その目的に応じて決定され、単に物が滑り落ちないようにするだけであれば、ゴムのような摩擦抵抗が大きいものとし、上面に書類を載置して筆記する場合には、所定の硬度が必要である。また、前記シート９に凹部１０を設けない場合には、前記引出し５の内部に合成樹脂製のペントレーを装着することが好ましい。
【００１６】
前記キャビネットワゴン２は、通常の構造を有し、本体１１に多段に引出し１２，…を手前に引き出し可能に設けたものである。そして、本実施形態では、前記本体１１の上面には天板１３を着脱可能に設けるとともに、前記本体１１の下面には複数のキャスター１４，…を設けて移動可能としている。ここで、前記引出し１２の代わりに収納棚とその前面に適宜開閉扉を設けた収納部としたものでも良い。
【００１７】
前記机３は、天板１５の両端部を脚部１６，１６で支持するとともに、該天板１５の下面後方に補強用の横ビーム１７を横設したものである。前記キャビネットワゴン２の天板１３までの高さは、前記横ビーム１７の下方を通過できる高さに設定されている。
【００１８】
そして、前記キャビネットワゴン２の本体１１の天板１３上面に、後部を余して前記収納具１を着脱可能に装着するのである。このように、後部を余して前記収納具１を前記キャビネットワゴン２の天板１３の上面に装着することにより、図３に示すように、前記机３の天板１５の下方に当該キャビネットワゴン２を押し込むと、前記本体１１の後部は前記横ビーム１７の下方に位置し、また前記収納具１は前記横ビーム１７の前方に位置するので、キャビネットワゴン２を机天板１５の下方へ設置する際に、何ら支障を来たすことはなく、そればかりか従来デットスペースとなっていた机３の天板１５とキャビネットワゴン２の天板１３との間に生じる空間に前記収納具１が位置するので、有効利用を図ることができたのである。
【００１９】
次に、前記収納具１の具体的構造と、前記キャビネットワゴン２の天板１３への取付構造は、本発明では特に限定されないが、図４〜図８に基づいて詳細に説明する。図６に示すように、前記キャビネットワゴン２の本体１１の上端には、前補強１８と後補強１９とが突設されており、前記天板１３は上面板２０の周囲に側面板２１を有する下方開放の箱型構造を有し、該天板１３の上面板２０が前記前補強１８と後補強１９とに載置され、その周囲を側面板２１で覆った状態で互に連結されるのである。また、前記前補強１８と後補強１９は、断面コ字形の載置部２２，２３をそれぞれ有し、前記後補強１９の載置部２３の前壁上端部の左右に横長の係合孔２４，２４を形成するとともに、前記前補強１８の載置部２２の上面の左右両側部に螺孔２５，２５又は通孔を形成している。一方、前記天板１３の上面板２０の下面後部には前記係合孔２４，２４へ前方から係合する係合片２６，２６を突設するとともに、前記上面板２０の前部には前記螺孔２５，２５と対応する位置に取付孔２７，２７を形成している。そして、前記天板１３の係合片２６，２６を前記後補強１９の係合孔２４，２４へ前方から係合した後、上面板２０を載置部２２，２３に載置するとともに、上方からネジ２８を前記取付孔２７に通して前記螺孔２５に雅号するのである。ここで、前記螺孔２５の代わりに通孔を形成した場合には、前記ネジ２８はタッピンネジを使用する。
【００２０】
また、前記収納具１を前記キャビネットワゴン２の天板１３の上面に取付けるには、該収納具１の前部においては前記ネジ２８を螺孔２５に螺合すると同時に前記箱型ケース４の前部を、該ネジ２８を利用して取付けるとともに、収納具１の後部は該箱型ケース４の後部をネジ２９にて前記天板１３の上面板２０に螺合して取付けるようにしている。
【００２１】
更に詳しくは、前記収納具１の箱型ケース４は、図７及び図８に示すように、上板３０の両側縁を下方へ折曲して側面板３１，３１を形成するとともに、該側面板３１，３１の下縁を内方へ折曲して固定片３２，３２を形成し、前記上板３０の後端と固定片３２，３２の後端に背面部材３３を固着したものである。更に、前記側面板３１，３１の外側面に前記ハンギングレール７を形成した化粧部材３４，３４を沿わせるとともに、該化粧部材３４の下端から延設した固定板３５を前記固定片３２の下面に沿わせ、前記固定片３２，３２の前後に形成した通孔３６，３６と前記固定板３５，３５の前後に形成した通孔３７，３７とを一致させた状態で、前方の通孔３６，３７に上方から通した前記ネジ２８を、前記天板１３の上面板２０の取付孔２７に通して前記前補強１８の螺孔２５に螺合し、後方の通孔３６，３７に上方から通したネジ２９を前記天板１３の上面板２０の後部に形成した螺孔３８に螺合する。ここでも、前記螺孔３８を通孔とした場合には、前記ネジ２９としてタッピンネジを用いる。この際、前記ネジ２８とネジ２９は、上方から螺合するものであるが、前記箱型ケース４の上下寸法は小さいので、その作業は、前記箱型ケース４の上板３０に貫通した開口３９，…を通して行うのである。更に、前記螺孔２５と螺孔３８の代わりに、ナットを板材下面に溶接しても良い。
【００２２】
更に、前記化粧部材３４の前後端部には、合成樹脂製のコーナーキャップ４０，４０を嵌着している。そして、前記化粧部材３４，３４と前記背面部材３３の上端部は、前記上板３０の上面よりも高く設定し、前記凹陥部８を形成している。また、前記箱型ケース４の両側面板３１，３１の内面には、レール４１，４１を固定し、該レール４１，４１で引出し５の両側に設けたスライダー４２，４２で摺動するようになっている。尚、前記引出し５は、胴部４３と側部材４４，４４と引手部材４５とから構成されている。
【００２３】
また、前記後部のネジ２９で螺着する代わりに、前記箱型ケース４の固定片３２，３２と前記化粧部材３４の固定板３５，３５を一体化した上で、後部に頭付きピンを下設し、該ピンを係合するダルマ孔を前記天板１３の上面板２０に形成することも好ましい。
【００２４】
このように、本実施形態では、前記収納具１を前記キャビネットワゴン２の天板１３の上面にネジ止めして取付けたが、単にマグネットで吸着させるものでも良く、また粘着部材を介在させて取付けても良く、その他のラッチ機構など公知の着脱可能な機構を採用することができる。
【図面の簡単な説明】
【００２５】
【図１】本発明に係る収納具を装着したキャビネットワゴンの全体斜視図である。
【図２】机の天板下方に収納具付きのキャビネットワゴンを配置した状態の正面図である。
【図３】同じく側面図である。
【図４】キャビネットワゴンの天板上面に収納具を装着した状態の縦断側面図である。
【図５】同じく拡大縦断正面図である。
【図６】キャビネットワゴンの本体に天板と収納具を取付ける構造を示す省略分解斜視図である。
【図７】収納具の分解斜視図である。
【図８】収納具を全部品に分解した斜視図である。
【符号の説明】
【００２６】
１  収納具                ２  キャビネットワゴン
３  机                    ４  箱型ケース
５  引出し                ６  トレー部
７  ハンギングレール      ８  凹陥部
９  シート                １０  凹部
１１  本体                １３  天板
１４  キャスター          １５  天板
１６  脚部                １７  横ビーム
１８  前補強              １９  後補強
２０  上面板              ２１  側面板
２２  載置部              ２３  載置部
２４  係合孔              ２５  螺孔
２６  係合片              ２７  取付孔
２８  ネジ                ２９  ネジ
３０  上板                ３１  側面板
３２  固定片              ３３  背面部材
３４  化粧部材            ３５  固定板
３６  通孔                ３７  通孔
３８  螺孔                ３９  開口
４０  コーナーキャップ    ４１  レール
４２  スライダー          ４３  胴部
４４  側部材              ４５  引手部材
【図１】
2006020978.tif 000003
【図２】
2006020978.tif 000004
【図３】
2006020978.tif 000005
【図４】
2006020978.tif 000006
【図５】
2006020978.tif 000007
【図６】
2006020978.tif 000008
【図７】
2006020978.tif 000009
【図８】
2006020978.tif 000010